(57)【要約】【課題】ロープ材が破断し難く、衝撃力を効果的に吸収することができる落石・雪崩防護構造を提供する。【解決手段】所定の間隔で複数の支柱２，２を設け、支柱２と地山である斜面１とを控えロープ材２２により連結する。控えロープ材２２に、該控えロープ材２２に加わる引張力により伸長する引張ばねたる引張コイルばね２５を設けたから、落石等の衝撃力が加わると、控えロープ材２２に引張力が発生し、これにより引張コイルばね２５が伸長し、この引張コイルばね２５の伸長により衝撃力のエネルギーを吸収することができる。【選択図】      図１
2004332278.tif 000002
【特許請求の範囲】
【請求項１】
所定の間隔で複数の支柱を設け、前記支柱と地山とを控えロープ材により連結した雪崩・落石防護装置において、前記控えロープ材に、該控えロープ材に加わる引張力により伸長する引張ばねを設けたことを特徴とする雪崩・落石防護装置。
【請求項２】
所定の間隔で複数の支柱を設け、前記支柱と地山とを控えロープ材により連結した雪崩・落石防護装置において、前記控えロープ材に、該控えロープ材に加わる引張力により圧縮する圧縮ばねを設けたことを特徴とする雪崩・落石防護装置。
【請求項３】
所定の間隔で複数の支柱を設け、前記支柱間にロープ材を設けた雪崩・落石防護装置において、前記ロープ材に、該ロープ材に加わる引張力により収縮する圧縮ばねを設けたことを特徴とする雪崩・落石防護装置。
【請求項４】
所定の間隔で複数の支柱を設け、前記支柱間にロープ材を設けた雪崩・落石防護装置において、前記ロープ材に、該ロープ材に加わる引張力により伸長する引張ばねを設けたことを特徴とする雪崩・落石防護装置。
【請求項５】
前記引張ばねの両端にフック部を一体に設けたことを特徴とする請求項１又は４記載の雪崩・落石防護装置。
【請求項６】
固定部に可動可能に挿通され基端側に前記ロープ材を連結する可動杆と、この可動杆の先端側に設けられた押え部とを備え、この押え部と前記固定部との間に前記圧縮ばねを設けたことを特徴とする請求項２又は３記載の雪崩・落石防護装置。
【発明の詳細な説明】
【０００１】
【発明の属する技術分野】
本発明は、ロープ材を備えた雪崩・落石防護装置に関する。
【０００２】
【従来の技術】
従来、この種のものとして、衝撃吸収柵があり、これは所定の間隔で支柱を設け、各支柱の間に水平ロープ材を水平方向のスライドを許容した状態で係留し、水平ロープの両端は固定し、各支柱間を水平ロープ材掛止されたワイヤ製のネットで遮蔽し、各水平ロープ材の途上に水平ロープ材を重合させて形成した余長部と、余長部を一定の力で挟持する挟持具とにより、水平ロープ材に所定張力以上の張力が作用したとき、水平ロープ材が一定の摩擦力を保持したまま余長部が伸長して張力を吸収する緩衝部を設け（特許文献１）ており、衝撃吸収柵の網面に作用する衝撃力が緩衝部の設定摩擦抵抗を越えると、水平ロープ材の途上に形成した緩衝部が耐えられず、ロープ材と挟持具との摺動の間で摺動を開始し、大きな衝撃力を受けてもループの縮径により効果的にエネルギーを吸収することができる。
【０００３】
また、特許文献１には、雪崩・落石防止体と地山とを連結する支持用線材をループ状にして複数の線材が重なり合う重複部を形成し、その重複部を複数間隔をおいて設けられた締付部材により緊結し、前記支持用線材に加わる引張力によって前記ループ状部分の両側端が前記締付部材に係止しかつ締付部材が移動するものがある。
【０００４】
また、他の衝撃吸収柵では、ガイドロープの他端部相互を重ね合わせて重複部を形成し、この重複部を複数間隔を置いて設けられた締付部材により緊結すると共に、前記締付部材に係止可能な端末突部を前記ガードロープの他端部の端部に設け、前記ガードロープに加わる引張力によって前記重複部の他端部相互が摩擦摺動するように構成（例えば特許文献２）している。
【０００５】
さらに、支柱間に張り渡された保持ロープの中途に、同保持ロープに及んでくる衝撃エネルギーを吸収するためのブレーキ装置が設けてあり、このブレーキ装置が、重ね合わされた両端部を緊締部材によって固定したループ管を有しており、当該保持ロープがこのループ管内を通り、他方端部の管口からでて延びて（例えば特許文献３）おり、緊締部でのループ管重畳部の摩擦及びループ管と緊締部材との間の摩擦によりエネルギー吸収が行われる。
【０００６】
このように上記３者の衝撃吸収柵等では、いずれも衝撃吸収力を摩擦力により吸収するようにしている。
【０００７】
一方、上記特許文献３では、網状体が多数のリング部材を、それぞれ隣り合うリング部材の内周側が接触するように相互に連結することによって構成されており、落石による衝撃を受けると、各リング部材が他のリング部材との係合箇所で外方に引張られ、例えば係合箇所が周全体で４箇所であれば、リング部材は矩形に変形し、このようにリング部材を変形させる力が衝撃エネルギーとなり、リング部材の材質、構成線材の太さ、リング部材の直径を適宜選択することにより、吸収すべきエネルギーの大きさに簡単に対応させることができる（公報第０００７段）。
【０００８】
そして、上記摩擦力により衝撃力を吸収する構造、及び上記リング部材の変形より衝撃エネルギーを吸収するものでも、いずれも衝撃吸収能力には限界がある。
【０００９】
このような従来技術の問題を解消し、衝撃吸収能力の向上を可能にしたものとして、所定の間隔で複数の支柱を設け、前記支柱間に前記水平線材に掛止した網体で遮蔽した衝撃吸収柵において、前記水平線材の途上を、弾性を有する緩衝リングにより連結した衝撃吸収柵や、防護柵と地山とを連結する途上を、弾性を有する緩衝リングにより連結した衝撃吸収柵があり、この衝撃吸収柵に落石等の衝撃力が加わると、水平主線材や控えロープ材に引張力が働き、この引張力により緩衝リングが伸長し、緩衝リングの弾性変形と塑性変形により、衝撃エネルギーを効果的に吸収することができる（例えば特許文献４）。
【００１０】
【特許文献１】
特公平７−１８１３４号公報（特許請求の範囲）
【特許文献２】
特許第２５０３９２９号公報（特許請求の範囲）
【特許文献３】
特開平１０−８８５２７号公報（特許請求の範囲中請求項５）
【特許文献４】
特開２０００−４５２３３号公報
【００１１】
【発明が解決しようとする課題】
ところで、衝撃吸収柵に落石等の衝撃力が加わると、水平主線材や控えロープ材に引張力が働き、この引張力により緩衝リングが伸長し、緩衝リングの弾性変形と塑性変形により、衝撃エネルギーを効果的に吸収し、さらに、所定以上の引張力を受けると、最後に緩衝リングが破断（特許文献４の段落００２１段）することにより効率よく衝撃を吸収するものであるが、防護構造において、衝撃吸収よりも、落石等を止めること優先とする場合は、ロープ材が破断せずに衝撃を吸収できるものが望ましい。
【００１２】
そこで、本発明は、ロープ材が破断し難く、衝撃力を効果的に吸収することができる落石・雪崩防護構造を提供することを目的とする。
【００１３】
【課題を解決するための手段】
請求項１の発明は、所定の間隔で複数の支柱を設け、前記支柱と地山とを控えロープ材により連結した雪崩・落石防護装置において、前記控えロープ材に、該控えロープ材に加わる引張力により伸長する引張ばねを設けたものである。
【００１４】
この請求項１の構成によれば、落石等の衝撃力が加わると、控えロープ材に引張力が発生し、これにより引張ばねが伸長し、この引張ばねの伸長により衝撃力のエネルギーを吸収することができる。また、引張ばねは、構造が簡易で、摩擦に比べて、引張力により発生する応力が一定しているから、信頼性に優れる。例えば、砂などが付着しても性能が低下することがない。
【００１５】
請求項２の発明は、所定の間隔で複数の支柱を設け、前記支柱と地山とを控えロープ材により連結した雪崩・落石防護装置において、前記控えロープ材に、該控えロープ材に加わる引張力により圧縮する圧縮ばねを設けたものである。
【００１６】
この請求項２の構成によれば、落石等の衝撃力が加わると、控えロープ材に引張力が発生し、これにより圧縮ばねが圧縮され、この圧縮ばねの圧縮により衝撃力のエネルギーを吸収することができる。また、圧縮ばねは、構造が簡易で、摩擦に比べて、圧縮力により発生する応力が一定しているから、信頼性に優れる。例えば、砂などが付着しても性能が低下することがない。
【００１７】
請求項３の発明は、所定の間隔で複数の支柱を設け、前記支柱間にロープ材を設けた雪崩・落石防護装置において、前記ロープ材に、該ロープ材に加わる引張力により収縮する圧縮ばねを設けたものである。
【００１８】
この請求項３の構成によれば、落石等の衝撃力が加わると、ロープ材に引張力が発生し、これにより圧縮ばねが圧縮され、この圧縮ばねの圧縮により衝撃力のエネルギーを吸収することができる。また、圧縮ばねは、構造が簡易で、摩擦に比べて、圧縮力により発生する応力が一定しているから、信頼性に優れる。
【００１９】
請求項４の発明は、所定の間隔で複数の支柱を設け、前記支柱間にロープ材を設けた雪崩・落石防護装置において、前記ロープ材に、該ロープ材に加わる引張力により伸長する引張ばねを設けたものである。
【００２０】
この請求項４の構成によれば、落石等の衝撃力が加わると、ロープ材に引張力が発生し、これにより引張ばねが伸長し、この引張ばねの伸長により衝撃力のエネルギーを吸収することができる。また、引張ばねは、構造が簡易で、摩擦に比べて、引張力により発生する応力が一定しているから、信頼性に優れる。
【００２１】
また、請求項５の発明は、前記引張ばねの両端にフック部を一体に設けたものである。
【００２２】
この請求項５の構成によれば、両端のフック部を用いて他の部材との連結を容易に行うことができる。
【００２３】
また、請求項６の発明は、固定部に可動可能に挿通され基端側に前記ロープ材を連結する可動杆と、この可動杆の先端側に設けられた押え部とを備え、この押え部と前記固定部との間に前記圧縮ばねを設けたものである。
【００２４】
この請求項６の構成によれば、ロープ材に引張力が加わると、可動杆が移動し、押え部と固定部との間で圧縮ばねが圧縮される。
【００２５】
【発明の実施形態】
以下、本発明の実施例を添付図面を参照して説明する。図１〜図５は本発明の第１実施例を示し、同図に示すように、落石・雪崩防護装置である落石防護装置は、地山である斜面１に複数の支柱２…を立設し、この支柱２は、Ｈ型鋼，コンクリート柱，鋼管あるいはコンクリート充填鋼管などからなり、その下端を前記斜面１にアンカー３により固定する。前記支柱２の上端側からは縦ロープ材４が吊設され、この縦ロープ材４の下端は、斜面１の下部に横方向に沿って張設した支持ロープ材５にそれぞれクリップなどの結束具７により結束されている。尚、各縦ロープ材４の下端を斜面１の下部に直接固定するようにしてもよい。また、複数の縦ロープ材４に交差するようにして横ロープ材６が設けられている。また、支柱２の上部間には横主ロープ材９が設けられ、この横主ロープ材９には縦ロープ材４，４間において、結束具７により縦補助ロープ材１０の上部が連結され、この縦補助ロープ材１０の下部は前記結束具７により支持ロープ材５に結束されている。また、それらロープ材４，６，１０の交差部はクリップなど結束具７Ａにより結束されている。
【００２６】
前記縦ロープ材５，５…間に、防護面たる網体１１を設け、この網体１１は結束コイル１２によりロープ材４，５，６，９，１０に取り付けられ、斜面１と網体１１との間にポケット部１３を形成し、このポケット部１３内に斜面１の上方から落下してきた落石を受け止めるようになっている。
【００２７】
前記支柱２の下部には枢着部２１が設けられ、この枢着部２１により支柱２が上下方向に回動可能に構成され、この支柱２の上部に控えロープ材２２を連結し、この控えロープ材２２の上端側はアンカー部材２３により支柱２の上方の斜面１に固定されている。前記控えロープ材２２は、ロープ材本体２４と、引張ばねたる引張コイルばね２５と、長さ調整手段たるターンバックル２６とを備え、この例では、ロープ材本体２４とターンバックル２６との間に引張コイルばね２５を配置している。この引張コイルばね２５は、図４及び図５に示すように、ばね鋼等の鋼製線材Ｓからなる伸縮可能なコイル部２５Ａの両端に、該線材Ｓの端部を閉塞した輪状に形成したフック部２５Ｂを設けてなり、このフック部２５Ｂは前記線材Ｓが二重に重ね合わせた輪状で、前記コイル部２５Ａと同一径に形成され、フック部２５Ｂはコイル部２５Ａの中心軸に対して角度θで斜設され、その角度θは１５〜６５度、好ましくは３０〜５０度である。
【００２８】
また、図１では支柱２と、該支柱２の山側の斜面との間に控えロープ材２２を設けたが、図３中の左右にすように、幅方向両側の支柱２，２にはそれぞれ横方向に控えロープ材２２，２２が設けられている。
【００２９】
そして、ロープ材本体２４の端部に輪部２４Ａを形成し、この輪部２４Ａとフック部２６Ｂとを着脱可能な連結金具２７により連結し、また、ターンバックル２６の端部とフック部２６Ｂとを着脱可能な連結金具２７により連結し、ターンバックル２６を操作することにより、控えロープ材２２に所定の張力を付与しており、引張コイルばね２５は何も力を加えない状態から多少伸びた状態となる。
【００３０】
次に、前記構成につき、その作用を説明する。落石等がポケット部１３内に落下し、網体１１が落石を捕捉したり、支柱２に落石が衝突したりして、支柱２を下方に倒そうとする力が加わると、控えロープ材２２に引張力が発生し、これにより引張コイルばね２５が伸長し、この引張コイルばね２５の伸長により衝撃力のエネルギーが吸収される。尚、引張コイルばね２５に加わる引張力による該引張コイルばね２５の伸びが弾性限界内であれば、落石等を撤去すれば、元に復帰することができる。
【００３１】
このように本実施例では、請求項１に対応して、所定の間隔で複数の支柱２，２を設け、支柱２と地山である斜面１とを控えロープ材２２により連結した雪崩・落石防護装置において、控えロープ材２２に、該控えロープ材２２に加わる引張力により伸長する引張ばねたる引張コイルばね２５を設けたから、落石等の衝撃力が加わると、控えロープ材２２に引張力が発生し、これにより引張コイルばね２５が伸長し、この引張コイルばね２５の伸長により衝撃力のエネルギーを吸収することができる。また、引張コイルばね２５は、構造が簡易で、摩擦に比べて、引張力により発生する応力が一定しているから、信頼性に優れ、長期に渡って安定した衝撃吸収性能を保持することができる。
【００３２】
また、このように本実施形態では、請求項５に対応して、引張ばねたる圧縮コイルばね２５の両端にフック部２５Ｂ，２５Ｂを一体に設けたから、両端のフック部２５Ｂ，２５Ｂを用いてロープ材本体２４やターンバックル２６との連結を容易に行うことができる。
【００３３】
また、実施形態上の効果として、支柱２を斜面１に設け、支柱２の上部に網体１１を吊設し、この網体１１と斜面１との間に隙間たるポケット部１３を設けたから、網体１１に落石を受けたり、支柱２に落石を受けたりして、支柱２を倒す力が加わると、引張コイルばね２５が伸長し、衝撃を吸収することができる。
【００３４】
また、実施形態上の効果として、引張ばねが引張コイルばね２５であるから、各控えロープ材２２の張力を均等に調整することができる。さらに、フック部２５Ｂをコイル部２５Ａの中心軸に対して斜設したから、フック部２５Ｂに連結した部材によりコイル部２５Ａの中心位置に引張力を加えることができ、コイルばねの性能を安定して引き出すことができる。
【００３５】
図６〜図９は本発明の第２実施例を示し、同図に示すように、雪崩・柵石防護装置である落石防護柵は、斜面あるいは斜面に並んでコンクリート基礎３１を設け、このコンクリート基礎３１に複数の支柱３２…を立設する。固定部たる前記支柱３２は、Ｈ型鋼，コンクリート柱，鋼管あるいはコンクリート充填鋼管などからなり、この例ではＨ鋼を用い、その下端を前記コンクリート基礎３１に固着している。前記支柱３２間にはロープ材たる水平ロープ材３３，３３が上下多段に設けられ、この水平ロープ材３３を係止する係止部３４が前記支柱３２に設けられ、この係止部３４は、孔や切欠きあるいは支柱の側面に設けた係止用フックなどでもよい。また、前記水平ロープ材３４の両端は、該水平ロープ材３４に張力を与える圧縮ばね装置３６によりそれぞれ前記支柱２や他の固定部を構成する部材に連結されている。尚、水平ロープ材３４の一端を圧縮ばね装置３６により支柱２などの固定部に連結し、他端を固定部に固定するようにしてもよい。
【００３６】
図７〜図８に示すように、前記圧縮ばね装置３６は、圧縮ばねたる圧縮コイルばね３７の長さ方向両側に、押え部たる押え板３８，３９を配置し、これら押え板３８，３９の孔３８Ａ，３９Ａ及び圧縮コイルばね３７に可動杆４０を挿通し、可動杆４０の先端に雄螺子部４０Ａを形成し、押え板３８を挿通した雄螺子部４０Ａに、締め具たるナット４１を螺合する。また、前記可動杆４０の先端にはリング部４０Ｂが形成されている。そして、前記支柱３２のウエブ部３２Ａに形成した孔からなる係止部３４に、可動杆４０を挿通し、該可動杆４０の先端を押え板３９と圧縮コイルばね３７と押え板３８とに挿通してナット４１を螺合する。そして、水平ロープ材３３の端部に輪部３３Ａを形成し、この輪部３３Ａとリング部４０Ｂとを着脱可能な連結金具４２により連結し、ナット４１を調節することにより、圧縮コイルばね３７の長さと、リング部４０Ｂの位置を調整できる。また、圧縮コイルばね３７は、ばね鋼等の鋼製線材Ｓからなる。
【００３７】
また、前記支柱３２間には、該支柱３２間を遮蔽する防護面たる網体５１が設けられており、この網体５１は前記水平ロープ材３３に掛止され、前記網体５１と前記支柱３２により防護体５２を構成している。
【００３８】
そして、網体５１に落石等により衝撃力が加わると、水平ロープ材３３に引張力が発生し、可動杆４０が引張られて押え板３８が押え板３９に近づく方に移動し、圧縮コイルばね３７が圧縮され、これにより衝撃力のエネルギーが吸収される。この場合、圧縮コイルばね３７が圧縮して衝撃力を吸収するから、大きな力を受けても圧縮コイルばね３７が破損し難く、圧縮後は受けた力を支柱３２へと伝えることができる。
【００３９】
このように本実施形態では、請求項３に対応して、所定の間隔で複数の支柱３２，３２を設け、支柱３２，３２間にロープ材たる水平ロープ材３３を設けた雪崩・落石防護装置において、水平ロープ材３３に、該水平ロープ材３３に加わる引張力により収縮する圧縮ばねたる圧縮コイルばね３７を設けたから、落石等の衝撃力が加わると、水平ロープ材３３に引張力が発生し、これにより圧縮コイルばね３７が圧縮され、この圧縮コイルばね３７の圧縮により衝撃力のエネルギーを吸収することができる。また、圧縮コイルばね３７は、構造が簡易で、摩擦に比べて、圧縮力により発生する応力が一定しているから、信頼性に優れ、長期に渡って安定した衝撃吸収性能を保持することができる。
【００４０】
また、このように本実施形態では、請求項６に対応して、固定部たる支柱３２に可動可能に挿通され基端側にロープ材たる水平ロープ材３３を連結する可動杆４０と、この可動杆４０の先端側に設けられた押え部たる押え板３８とを備え、この押え板３８と支柱３２との間に圧縮ばねたる圧縮コイルばね３７を設けたから、水平ロープ材３２に引張力が加わると、可動杆４０が移動し、押え板３８と支柱３２との間で圧縮コイルばね３７が圧縮され、衝撃を吸収することができる。
【００４１】
また、実施形態上の効果として、支柱３２，３２間を網体５１で遮蔽したから、網体５１が落石を受けて水平ロープ材３３に引張力が加わると、圧縮コイルばね３７が圧縮され、衝撃を吸収することができる。
【００４２】
また、実施形態上の効果として、押え板３８の位置をナット４１などにより調整可能としたから、設置時の圧縮コイルばね３７の長さなどを設定することができる。
【００４３】
図１０は本発明の第３実施形態を示し、上記各実施例と同一部分に同一符号を付し、その詳細な説明を省略して詳述すると、この例では、図１に示した雪崩・落石防護装置において、控えロープ材２２の端部を前記圧縮ばね装置３６のリング部４０Ｂに連結し、固定部たる支柱２と押え板３８との間に圧縮コイルばね３７を配置しており、落石等により控えロープ材２２に引張力が加わると、圧縮コイルばね３７が収縮して衝撃力を吸収することができる。
【００４４】
このように本実施形態では、請求項２に対応して、所定の間隔で複数の支柱２，２を設け、支柱２と地山たる斜面１とを控えロープ材２２により連結した雪崩・落石防護装置において、控えロープ材２２に、該控えロープ材２２に加わる引張力により圧縮する圧縮ばねたる圧縮コイルばね３７を設けたから、落石等の衝撃力が加わると、控えロープ材２２に引張力が発生し、これにより圧縮コイルばね３７が圧縮され、この圧縮コイルばね３７の圧縮により衝撃力のエネルギーを吸収することができる。また、圧縮コイルばね３７は、構造が簡易で、摩擦に比べて、圧縮力により発生する応力が一定しているから、信頼性に優れ、また、請求項６に対応して、上記各実施形態と同様な作用・効果を奏する。
【００４５】
図１１は本発明の第４実施形態を示し、上記各実施例と同一部分に同一符号を付し、その詳細な説明を省略して詳述すると、この例では、図６に示した雪崩・落石防護装置において、支柱３２のフランジ部３２Ｂに連結金具２７により引張コイルばね２５を連結し、この引張コイルばね２５に水平ロープ材３３を連結しており、落石等により水平ロープ材３３に引張力が加わると、引張コイルばね２５が伸長して衝撃力を吸収することができる。尚、支柱３２のウエブ部３２Ａに連結金具２７により引張コイルばね２５を連結するようにしてもよい。
【００４６】
このように本実施形態では、請求項４に対応して、所定の間隔で複数の支柱３２，３２を設け、支柱３２，３２間にロープ材たる水平ロープ材３３を設けた雪崩・落石防護装置において、水平ロープ材３３に、該水平ロープ材３３に加わる引張力により伸長する引張ばねたる引張コイルばね２５を設けたから、落石等の衝撃力が加わると、水平ロープ材３３に引張力が発生し、これにより引張コイルばね２５が伸長し、この引張コイルばね２５の伸長により衝撃力のエネルギーを吸収することができる。また、引張コイルばね２５は、構造が簡易で、摩擦に比べて、引張力により発生する応力が一定しているから、信頼性に優れ、長期に渡って安定した衝撃吸収性能を保持することができ、また、請求項５に対応して、上記各実施形態と同様な作用・効果を奏する。
【００４７】
尚、本発明は上記各実施例に限定されるものではなく、本発明の容易の範囲内において、種々の変形実施が可能である。例えば、落石防護柵の支柱３２に控えロープ材を設け、この控えロープ材に引張ばね又は圧縮ばねを設けるようにしてもよい。また、地山にコンクリート基礎を設け、この基礎に控えロープ材を固定するようにしてもよい。
【００４８】
【発明の効果】
請求項１の発明は、所定の間隔で複数の支柱を設け、前記支柱と地山とを控えロープ材により連結した雪崩・落石防護装置において、前記控えロープ材に、該控えロープ材に加わる引張力により伸長する引張ばねを設けたものであり、ロープ材が破断し難く、衝撃力を効果的に吸収することができる落石・雪崩防護構造を提供できる。
【００４９】
請求項２の発明は、所定の間隔で複数の支柱を設け、前記支柱と地山とを控えロープ材により連結した雪崩・落石防護装置において、前記控えロープ材に、該控えロープ材に加わる引張力により圧縮する圧縮ばねを設けたものであり、ロープ材が破断し難く、衝撃力を効果的に吸収することができる落石・雪崩防護構造を提供できる。
【００５０】
請求項３の発明は、所定の間隔で複数の支柱を設け、前記支柱間にロープ材を設けた雪崩・落石防護装置において、前記ロープ材に、該ロープ材に加わる引張力により収縮する圧縮ばねを設けたものであり、ロープ材が破断し難く、衝撃力を効果的に吸収することができる落石・雪崩防護構造を提供できる。
【００５１】
請求項４の発明は、所定の間隔で複数の支柱を設け、前記支柱間にロープ材を設けた雪崩・落石防護装置において、前記ロープ材に、該ロープ材に加わる引張力により伸長する引張ばねを設けたものであり、ロープ材が破断し難く、衝撃力を効果的に吸収することができる落石・雪崩防護構造を提供できる。
【００５２】
また、請求項５の発明は、前記引張ばねの両端にフック部を一体に設けたものであり、ロープ材が破断し難く、衝撃力を効果的に吸収することができる落石・雪崩防護構造を提供できる。
【００５３】
また、請求項６の発明は、固定部に可動可能に挿通され基端側に前記ロープ材を連結する可動杆と、この可動杆の先端側に設けられた押え部とを備え、この押え部と前記固定部との間に前記圧縮ばねを設けたものであり、ロープ材が破断し難く、衝撃力を効果的に吸収することができる落石・雪崩防護構造を提供できる。
【図面の簡単な説明】
【図１】本発明の第１実施形態を示す落石・雪崩防護装置の側面図である。
【図２】同上、控えロープ材の要部の側面図である。
【図３】同上、落石・雪崩防護装置の正面図である。
【図４】同上、圧縮ばねの側面図である。
【図５】同上、圧縮ばねの平面図である。
【図６】本発明の第２実施形態を示す落石・雪崩防護装置の正面図である。
【図７】同上、圧縮ばね装置の縦断面図である。
【図８】同上、圧縮ばね装置の平断面図である。
【図９】同上、ロープ材を断面にした支柱の側面図である。
【図１０】本発明の第３実施形態を示す落石・雪崩防護装置の側面図である。
【図１１】本発明の第４実施形態を示す引張ばね回りの平面図である。
【符号の説明】
１  斜面
２  支柱（固定部）
１１  網体（防護面）
１３  ポケット部（隙間）
２２  控えロープ材
２５  引張コイルばね（引張ばね）
２５Ｂ  フック部
３２  支柱（固定部）
３３  水平ロープ材  （ロープ材）
３７  圧縮コイルばね（圧縮ばね）
３８  押え板（押え部）
４０  可動杆
【図１】
2004332278.tif 000003
【図２】
2004332278.tif 000004
【図３】
2004332278.tif 000005
【図４】
2004332278.tif 000006
【図５】
2004332278.tif 000007
【図６】
2004332278.tif 000008
【図７】
2004332278.tif 000009
【図８】
2004332278.tif 000010
【図９】
2004332278.tif 000011
【図１０】
2004332278.tif 000012
【図１１】
2004332278.tif 000013